(57)【要約】【課題】液晶装置において、高コントラスト且つ良好な輝度ムラを実現する。【解決手段】液晶装置は、一対の基板（１０，２０）と、該一対の基板間に狭持された液晶（５０）と、前記液晶を通過する光に生じる位相差を補償する第１及び第２光学補償手段（２０１，２０２）と、前記第１及び第２光学補償手段を連動して、前記一対の基板を通過する光の光軸に対して回動可能な第１回動手段（２１４，２１５，２１６）とを備える。【選択図】図３
2008139386.tif 000002
【特許請求の範囲】
【請求項１】
一対の基板と、
該一対の基板間に狭持された液晶と、
前記液晶を通過する光に生じる位相差を補償する第１及び第２光学補償手段と、
前記第１及び第２光学補償手段を、相互間における位置関係を維持したまま、前記一対
の基板を通過する光の光軸に対して回動可能な第１回動手段と
を備えることを特徴とする液晶装置。
【請求項２】
前記第１及び第２光学補償手段のうち一方を他方から独立して、前記光軸に対して回動
可能な第２回動手段を更に備える
ことを特徴とする請求項１に記載の液晶装置。
【請求項３】
前記第１及び第２光学補償手段が積層されていることを特徴とする請求項１に記載の液
晶装置。
【請求項４】
前記第１回動手段は、前記第１光学補償手段の遅相軸及び前記第２光学補償手段の遅相
軸が相互になす角の大きさを維持したまま、前記第１及び第２光学補償手段を回動するこ
とを特徴とする請求項１乃至３のいずれか一項に記載の液晶装置。
【請求項５】
前記第１及び第２光学補償手段は、視野拡大フィルムであることを特徴とする請求項１
乃至４のいずれか一項に記載の液晶装置。
【請求項６】
前記第１及び第２光学補償手段は、無機材料を塗布することにより形成されていること
を特徴とする請求項１乃至４のいずれか一項に記載の液晶装置。
【請求項７】
前記光軸に対して回動可能である他の回動手段を有する他の光学補償手段を更に備える
ことを特徴とする請求項１乃至６のいずれか一項に記載の液晶装置。
【請求項８】
前記一対の基板のうち少なくとも一方の基板における前記液晶と反対側に配置された防
塵ガラスを更に備えることを特徴とする請求項１乃至７のいずれか一項に記載の液晶装置
。
【請求項９】
前記液晶に対して前記光が入射する側に配置されたマイクロレンズアレイを更に備える
ことを特徴とする請求項１乃至８のいずれか一項に記載の液晶装置。
【請求項１０】
一対の基板と、該一対の基板間に狭持された液晶と、前記液晶を通過する光に生じる位
相差を補償する第１及び第２光学補償手段とを備える液晶装置における少なくとも輝度ム
ラを調整する調整方法であって、
前記輝度ムラを測定する測定工程と、
前記測定された輝度ムラに基づいて、前記第１及び第２光学補償手段を、相互間におけ
る位置関係を維持したまま、前記一対の基板を通過する光の光軸に対して回動させる第１
回動工程と
を備えることを特徴とする調整方法。
【請求項１１】
請求項１乃至９のいずれか一項に記載の液晶装置を備えることを特徴とするプロジェク
タ。
【発明の詳細な説明】
【技術分野】
【０００１】
本発明は、例えば液晶ライトバルブ等の液晶装置及びその調整方法、並びにこれを備え
たプロジェクタに関する。
【背景技術】
【０００２】
この種の液晶装置には、例えば、出射側の液晶パネルと偏光板との間に、延伸方向が直
交した２枚の同じ位相差の位相差フィルムを設けたものがある。この液晶装置では、出射
側の偏光板の偏光軸とこの偏光板に隣接した位相差フィルムの延伸軸に所定の角度を持た
せ輝度ムラを減少させている（特許文献１参照）。
【０００３】
また、液晶層内で垂直配向した液晶分子による位相差を補償する第１位相差補償層と、
ハイブリット配向した液晶分子による位相差を補償する第２位相差補償層とからなり、第
２位相差補償層が斜方蒸着膜から構成されている位相差補償素子を備える液晶装置がある
（特許文献２）。
【０００４】
【特許文献１】特開平６−５１３０５号公報
【特許文献２】特開２００６−１１９４４４号公報
【発明の開示】
【発明が解決しようとする課題】
【０００５】
しかしながら、上述の背景技術によれば、輝度ムラ及びコントラストのうち一方のみを
改善するにすぎず、他方の改善は十分なされてはいないという技術的問題点がある。また
、輝度ムラを減少させるための具体的な位相差フィルム等の調整方法は開示されていない
という技術的問題点もある。
【０００６】
本発明は、例えば、上記問題点等に鑑みてなされたものであり、高コントラスト且つ良
好な輝度ムラの液晶装置及びその調整方法、並びにこれを備えたプロジェクタを提供する
ことを課題とする。
【課題を解決するための手段】
【０００７】
本発明の液晶装置は、上記課題を解決するために、一対の基板と、該一対の基板間に狭
持された液晶と、前記液晶を通過する光に生じる位相差を補償する第１及び第２光学補償
手段と、前記第１及び第２光学補償手段を、相互間における位置関係を維持したまま、前
記一対の基板を通過する光の光軸に対して回動可能な第１回動手段とを備える。
【０００８】
本発明の液晶装置によれば、例えば位相差板である、第１及び第２光学補償手段は、当
該液晶装置に入射された投射光等の光に生じる位相差を補償する。即ち、液晶装置の動作
時には、例えば液晶ライトバルブとして機能する当該液晶装置に対して、投射光等の光が
入射すると、先ず、液晶層に入射する前の光に対して、例えば第１光学補償手段による補
償が行われる。次に、液晶層から出射される光に対して、例えば第２光学補償手段による
補償が行われる。このような補償を行うことで、光が液晶層に位相がずれた状態で入射す
るのと、液晶層を通過した光が、出射側の偏光板に対し、位相がずれた状態で入射するの
とを同時に防止することができる。
【０００９】
つまり、液晶装置の入射側に存在する、例えばマイクロレンズアレイ等の光学素子を通
過することで発生する光の位相差や、液晶層の界面付近に存在している、或いは中間調表
示の際に立ち上がりきらない液晶分子を通過することで、発生する光の位相差を、第１及
び第２光学補償手段により補償することが可能となる。
【００１０】
第１回動手段は、第１及び第２光学補償手段を、相互間における位置関係を維持したま
ま、例えば投射光等の光軸を中心として回転させる。具体的には、第１及び第２光学補償
手段を、該第１及び第２光学補償手段が相互になす角、即ち、第１光学補償手段の遅相軸
及び第２光学補償手段の遅相軸が相互になす角を維持したまま、同時に、同じ角度だけ、
同じ方向に回転させる。これにより、コントラストを維持した状態で、輝度ムラを改善す
ることができる。
【００１１】
このような回動手段による回転運動は、回転軸が固定されている単純な回転運動でもよ
いが、回転軸が移動しながらの或いは回転運動と平行移動とが組み合わされた、より複雑
な運動であってもよい。尚、このような回動手段は、好ましくは所望の回転角度で固定可
能に構成される。即ち、好ましくは、固定機構を含む。しかし、回動手段とは別に角度を
固定する固定機構を設けることも可能である。
【００１２】
例えば、液晶分子の配向の揺らぎや液晶層の厚さのムラ等が存在すると、第１及び第２
光学補償手段により光の位相差を補償したとしても、液晶装置に輝度ムラが発生する場合
がある。しかるに本発明では、第１回動手段を備えているので、投射光等の光に生じる位
相差を補償するように、第１及び第２光学補償手段が相互になす角を定めさえすれば、各
液晶装置に応じて、輝度ムラを改善することができる。このため、液晶装置の品質をより
均一にすることができる。
【００１３】
尚、第１及び第２光学補償手段は、一方が液晶層の入射側に配置されると共に他方が液
晶層の出射側に配置されなくともよい。即ち、第１及び第２光学補償手段が両方共に、液
晶層の出射側に配置されてもよい。この場合、例えば、液晶層から出射する光に対して、
先ず第１光学補償手段による補償が行われ、次に第２光学補償手段による補償が行われて
もよい。すると、液晶層を通過した光が、出射側の偏光板に対し位相がずれた状態で入射
することを高精度で防止することができる。或いは、第１及び第２光学補償手段が両方共
に、液晶層の入射側に配置されてもよい。この場合、例えば、液晶層に入射する前の光に
対して、先ず第１光学補償手段による補償が行われ、次に第２光学補償手段による補償が
行われてもよい。すると、光が液晶層に位相がずれた状態で入射するのを高精度で防止す
ることができる。
【００１４】
以上の結果、本発明の液晶装置によれば、第１及び第２光学補償手段、並びに第１回動
手段を備えることにより、高コントラスト且つ良好な輝度ムラを実現することができる。
【００１５】
本発明の液晶装置の一態様では、前記第１及び第２光学補償手段のうち一方を他方から
独立して、前記光軸に対して回動可能な第２回動手段を更に備える。
【００１６】
この態様によれば、第２回動手段は、第１及び第２光学補償手段のうち一方を他方から
独立して、例えば投射光等の光軸を中心として回転させる。仮に、第１及び第２光学補償
手段が相互になす角が所定の角度でなければ、光の適切な補償が行われず、コントラスト
の向上の効果は減少し、又は全く得られない。つまり、第１及び第２光学補償手段による
補償において、夫々が相互になす角は非常に重要であり、高い精度が求められる。しかる
に本発明では、第２回動手段により、第１及び第２光学補償手段の配置後においても角度
調整ができる。このため、第１及び第２光学補償手段を配置する際の細かな角度の精度は
要求されない。よって、光学補償手段の配置作業時間の短縮が可能となり、また配置失敗
によるコストの増大も防止することができる。
【００１７】
本発明の液晶装置の他の態様では、前記第１及び第２光学補償手段が積層されている。
【００１８】
この態様によれば、第１及び第２光学補償手段は、夫々が相互になす角が所定の角度に
なるように積層されている。具体的には例えば、支持体等に延伸フィルムを２枚貼り付け
ることにより形成すればよい。従って、省スペース化を実現することができる。
【００１９】
本発明の液晶装置の他の態様では、前記第１回動手段は、前記第１光学補償手段の遅相
軸及び前記第２光学補償手段の遅相軸が相互になす角の大きさを維持したまま、前記第１
及び第２光学補償手段を回動する。
【００２０】
この態様によれば、第１回動手段は、第１及び第２光学補償手段により向上されたコン
トラストを維持しつつ、輝度ムラを改善することができる。
【００２１】
本発明の液晶装置の他の態様では、前記第１及び第２光学補償手段は、視野拡大フィル
ムである。
【００２２】
この態様によれば、第１及び第２光学補償手段は、視野拡大用フィルムを支持体等に貼
り付けることによって構成されている。従って、作業時間の短縮、製造コストの低減を実
現しつつ、入射光に対する効果的な光学的補償を行うことができる。
【００２３】
本発明の液晶装置の他の態様では、前記第１及び第２光学補償手段は、無機材料を塗布
することにより形成されている。
【００２４】
この態様によれば、第１及び第２光学補償手段は、無機材料で構成されているため、紫
外線等による劣化を起こさない。従って、耐久性を向上させることができる。
【００２５】
本発明の液晶装置の他の態様では、前記光軸に対して回動可能である他の回動手段を有
する他の光学補償手段を更に備える。
【００２６】
この態様によれば、他の光学補償手段においても角度調整が行えるため、調整作業の自
由度が広げることができる。
【００２７】
本発明の液晶装置の他の態様では、前記一対の基板のうち少なくとも一方の基板におけ
る前記液晶と反対側に配置された防塵ガラスを更に備える。
【００２８】
この態様によれば、防塵ガラスにより、液晶パネルを埃等から防護することができる。
【００２９】
本発明の液晶装置の他の態様では、前記液晶に対して前記光が入射する側に配置された
マイクロレンズアレイを更に備える
この態様によれば、マイクロレンズアレイによって曲げられた光が、液晶等で生じる位
相差は、第１及び第２光学補償手段によって補償される。これにより、液晶を通過した光
が、出射側の偏光板に対し、位相がずれた状態で入射することを防止することができる。
つまり、液晶装置の入射側に存在する、マイクロレンズアレイを通過することで屈折した
光が液晶へ入射する際に発生する光の位相差、及び液晶の界面付近に存在している、或い
は中間調表示の際に立ち上がりきらない液晶分子を通過することにより発生する位相差を
、補償することができる。
【００３０】
本発明の調整方法は上記課題を解決するために、一対の基板と、該一対の基板間に狭持
された液晶と、前記液晶を通過する光に生じる位相差を補償する第１及び第２光学補償手
段とを備える液晶装置における少なくとも輝度ムラを調整する調整方法であって、前記輝
度ムラを測定する測定工程と、前記測定された輝度ムラに基づいて、前記第１及び第２光
学補償手段を、相互間における位置関係を維持したまま、前記一対の基板を通過する光の
光軸に対して回動させる回動工程とを備える。
【００３１】
本発明の調整方法によれば、例えば液晶装置の輝度ムラを調整する。液晶装置を調整す
る際には、先ず、測定工程において、例えば、ＣＣＤ（Ｃｈａｒｇｅ  Ｃｏｕｐｌｅｄ  
Ｄｅｖｉｃｅ）、プロセッサ等を含んでなる輝度ムラ測定装置により輝度ムラが測定され
る。次に、回動工程において、該測定された輝度ムラが改善する方向に、第１及び第２光
学補償手段を、相互間における位置関係を維持したまま、例えば投射光等の光軸を中心と
して回転させる。ここでの回動工程は、例えば輝度ムラ測定装置と連携して動作する回動
機構を用いての自動化作業によって、又は少なくとも部分的な、作業者を用いてのマニュ
アル作業によって実行される。
【００３２】
本発明のプロジェクタは、上記課題を解決するために、上述した本発明の液晶装置（但
し、その各種態様を含む）を備える。
【００３３】
本発明のプロジェクタは、上述した本発明に係る液晶装置を具備してなるので、高コン
トラスト且つ良好な輝度ムラを実現することができる。
【００３４】
本発明の作用及び他の利得は次に説明する実施するための最良の形態から明らかにされ
よう。
【発明を実施するための最良の形態】
【００３５】
以下、本発明の実施形態を図面に基づいて説明する。以下の実施形態では、本発明の液
晶装置の一例である駆動回路内臓型のＴＦＴ（Ｔｈｉｎ  Ｆｉｌｍ  Ｔｒａｎｓｉｓｔｏ
ｒ）アクティブマトリックス駆動方式の液晶装置を例にとる。
【００３６】
＜第１実施形態＞
本発明の液晶装置に係る第１実施形態を、図１乃至５を参照して説明する。
【００３７】
先ず、図１及び図２を参照して本実施形態に係る液晶装置を構成する液晶パネルについ
て説明する。図１は、本実施形態に係る液晶パネルの全体構成を示す平面図であり、図２
は、図１のＨ−Ｈ´線断面図である。
【００３８】
図１及び図２において、本実施形態に係る液晶パネル１では、ＴＦＴアレイ基板１０と
対向基板２０とが対向配置されている。ここに、本実施形態に係るＴＦＴアレイ基板１０
及び対向基板２０は、本発明に係る「一対の基板」の一例である。ＴＦＴアレイ基板１０
は、例えば、石英基板、ガラス基板、シリコン基板等の透明基板からなり、対向基板２０
は、例えば、石英基板、ガラス基板等の透明基板からなる。ＴＦＴアレイ基板１０と対向
基板２０との間に液晶層５０が封入されており、ＴＦＴアレイ基板１０と対向基板２０と
は、画像表示領域１０ａの周囲に位置するシール領域に設けられたシール材５２により相
互に接着されている。
【００３９】
図１において、シール材５２が配置されたシール領域の内側に並行して、画像表示領域
１０ａの額縁領域を規定する遮光性の額縁遮光膜５３が、対向基板２０側に設けられてい
る。画像表示領域１０ａの周辺に位置する周辺領域のうち、シール材５２が配置されたシ
ール領域の外側に位置する領域には、データ線駆動回路１０１及び外部回路接続端子１０
２がＴＦＴアレイ基板１０の一辺に沿って設けられている。走査線駆動回路１０４は、こ
の一辺に隣接する２辺に沿ったシール領域の内側に、額縁遮光膜５３に覆われるようにし
て設けられている。更に、このように画像表示領域１０ａの両側に設けられた二つの走査
線駆動回路１０４間をつなぐため、ＴＦＴアレイ基板１０の残る一辺に沿い、且つ、額縁
遮光膜５３に覆われるようにして複数の配線１０５が設けられている。また、ＴＦＴアレ
イ基板１０上には、対向基板２０の４つのコーナー部に対向する領域に、両基板間を上下
導通材１０７で接続するための上下導通端子１０６が配置されている。これらにより、Ｔ
ＦＴアレイ基板１０と対向基板２０との間で電気的な導通をとることができる。
【００４０】
ＴＦＴアレイ基板１０上には、外部回路接続端子１０２と、データ線駆動回路１０１、
走査線駆動回路１０４、上下導通端子１０６等とを電気的に接続するための引回配線９０
が形成されている。
【００４１】
図２において、ＴＦＴアレイ基板１０上には、駆動素子である画素スイッチング用のＴ
ＦＴや走査線、データ線等の配線が作り込まれた積層構造が形成されている。画像表示領
域１０ａには、画素スイッチング用ＴＦＴや走査線、データ線等の配線の上層に画素電極
９ａがマトリクス状に設けられている。画素電極９ａ上には、配向膜１１が形成されてい
る。他方、対向基板２０におけるＴＦＴアレイ基板１０との対向面上に、遮光膜２３が形
成されている。遮光膜２３上に、ＩＴＯ等の透明材料からなる対向電極２１が複数の画素
電極９ａと対向してベタ状に形成されている。対向電極２１上には配向膜２４が形成され
ている。また、液晶層５０は、例えば一種又は数種類のネマティック液晶を混合した液晶
からなり、これら一対の配向膜１１及び２４間で、所定の配向状態をとる。
【００４２】
尚、ここでは図示しないが、ＴＦＴアレイ基板１０上には、データ線駆動回路１０１、
走査線駆動回路１０４の他に、データ線駆動回路１０１により駆動されることで引回配線
９０上の画像信号をサンプリングしてデータ線に供給するサンプリング回路、製造途中や
出荷時の当該液晶装置の品質、欠陥等を検査するための検査回路、検査用パターン等が形
成されていてもよい。
【００４３】
次に、本実施形態に係る位相差板について、図３乃至５を参照して説明する。
【００４４】
先ず、図３を用いて、位相差板の配置位置について説明する。ここに図３は、液晶装置
の構成と入射光の進路とを示す、液晶装置の断面図である。尚、以降の図においては、図
１及び図２で示した、液晶パネル１の詳細な部材については適宜省略し、直接関連のある
部分のみを示す。
【００４５】
図３において、液晶パネル１は、液晶層５０と、それを狭持するＴＦＴアレイ基板１０
と、対向基板２０とを含んで構成されている。偏光板３００ａと３００ｂとは、液晶パネ
ル１を挟み込むように夫々配置されている。そして液晶パネル１と出射側の偏光板３００
ｂとの間に、本発明に係る「第１光学補償手段」の一例としての第１位相差板２０１が設
けられており、該第１位相差板２０１と出射側の偏光板３００ｂとの間に、本発明に係る
「第２光学補償手段」の一例としての第２位相差板２０２が設けられている。尚、第２位
相差板２０２が液晶パネル１の入射側に設けられていてもよい。
【００４６】
第２位相差板２０２は、シャフト２１４によってベアリング２１５を介し、液晶装置本
体に取り付けられており、角度調整のための回動機構を有している。第１位相差板２０１
は、シャフト２１１によってベアリング２１２を介し、シャフト２１４に取り付けられて
おり、角度調整のための回動機構を有している。固定ネジ２１３によりシャフト２１１が
シャフト２１４に固定された場合、シャフト２１４を回動機構により回転させると、連動
してシャフト２１１も回転することになる。即ち、本実施形態では、シャフト２１４、ベ
アリング２１５及び固定ネジ２１６から、本発明に係る「第１回動手段」の一例が構成さ
れており、シャフト２１１、ベアリング２１２及び固定ネジ２１３から、本発明の「第２
回動手段」の一例が構成されている。ここでは、本発明に係る「第１及び第２回動手段」
は、固定機構を含むものとして構築されている。
【００４７】
第１位相差板２０１及び第２位相差板２０２は、視野拡大フィルムで構成されていても
よく、無機材料を支持体等に塗布することにより形成されていてもよい。
【００４８】
次に、図４を用いて、第１位相差板２０１及び第２位相差板２０２が相互になす角につ
いて説明する。図４は、位相差板の遅相軸を示す斜視図である。ここでは、液晶がＴＮ（
Ｔｗｉｓｔｅｄ  Ｎｅｍａｔｉｃ）方式で構成された場合について説明する。
【００４９】
図４において、第１位相差板２０１の遅相軸２０１１は、図４の左右方向であったとす
る。ＴＮ方式の液晶の場合、光は液晶層５０において９０度ねじられる。従って、第２位
相差板２０２の遅相軸２０２１は、遅相軸２０１１と直交するように配置されればよい。
【００５０】
このとき仮に、第１位相差板２０１が回動機構を有していなかったとすると、配置後に
角度の調整を行うことができないため、配置の際に、非常に高い精度が要求される。それ
に対し、本実施形態のように、第１位相差板２０１が回動機構を有する構成であれば、夫
々の位相差板を配置した後に、第１位相差板２０１を図４における左右方向に回転させて
調整が行える。そのため、例えば、試験的に液晶装置を動作させつつ、表示される画像或
いは映像を確認しながら調整を行うことができる。即ち、実際の動作を評価しながら調整
できるため、正確且つ迅速な調整を行うことができる。
【００５１】
次に、図５を用いて、液晶装置の輝度ムラを調整する方法について説明する。図５は、
第１位相差板２０１及び第２位相差板２０２を連動して回転させた場合における、液晶装
置の黒の輝度ムラの測定例である。図５（ａ）〜（ｄ）は夫々、同じ方向に０度、１度、
２度、３度回転させた場合の測定例である。
【００５２】
調整を行う際は、先ず、第１位相差板２０１を適切に回転させて、画像表示領域１０ａ
の中心、即ち、図５（ａ）〜（ｄ）における中心のコントラストを最適な値、又は最大に
し、固定ネジ２１３によってシャフト２１１をシャフト２１４に固定する。この状態で、
例えば輝度ムラ測定装置等により輝度ムラを測定すると、例えば図５（ａ）に示すように
、画像表示領域１０ａの左側に暗い部分が偏り、輝度ムラが発生していることがわかる。
【００５３】
次に、シャフト２１４を回転させることにより、第１位相差板２０１及び第２位相差板
２０２を、相互間における位置関係を維持したまま、同じ方向に回転させる。図５（ｂ）
〜（ｄ）に示すように、回転させるにつれて、輝度ムラが改善されていることがわかる。
例えば図５（ｄ）に示すような状態になった時点で、シャフト２１４を固定ネジ２１６に
より液晶装置本体に固定する。
【００５４】
輝度ムラの調整を自動化作業により行う場合は、例えば画像表示領域１０ａの所定範囲
内における輝度のばらつきが、所定値の範囲内になった場合にシャフト２１４の回転を止
めるような判別手段を設ければよい。或いは、作業者が目視により判断しシャフト２１４
の回転を止めてもよい。
【００５５】
再び図３に戻り、入射光の経路に従って各部の動作を説明する。
【００５６】
図３において、入射光は先ず入射側の偏光板３００ａに入射する。偏光板３００ａでは
、所定の方向に振動する光のみが通過できる。即ち、入射光は直線偏光となる。偏光板３
００ａを通過した入射光は、対向基板２０を通して、液晶層５０に入射する。このとき、
液晶層５０の界面付近には電圧をかけても完全に立ち上がらない液晶分子が存在する。ま
た、横電界の影響やセルギャップ斑の影響などにより、液晶層５０の界面付近以外でも、
このように完全に立ち上がらない液晶分子は存在し得る。或いは、液晶層５０の界面付近
では、液晶分子は、配向膜によるプレティルト角に応じて、電圧をかけなくても完全に寝
ることはない。そのため、液晶層５０に入射した光は位相がずれる。液晶層５０を通過し
た光は、図３に示すようにＴＦＴアレイ基板１０を通して液晶パネル１から出射し、第１
位相差板２０１において補償される。そして、第２位相差板２０２に入射する。第２位相
差板２０２では、液晶層５０において生じた位相差が補償され、光は再び直線偏光となる
。補償された光は出射側の偏光板３００ｂに入射し、液晶層５０によって９０度ねじられ
た光だけが偏光板３００ｂを通過する。
【００５７】
以上のように、第１位相差板２０１及び第２位相差板２０２、並びに回動機構を備える
ことにより、高コントラスト且つ良好な輝度ムラを実現することができる。
【００５８】
尚、第１位相差板２０１はＴＦＴアレイ基板１０に対応し、第２位相差板２０２は対向
基板２０に対応する。具体的には、第１位相差板２０１の光学的な補償方向は、液晶層５
０に対して光が出射する側に設けられたＴＦＴアレイ基板１０の配向方向に対応するよう
に配置されている。更に、第２位相差板２０２の光学的な補償方向は、液晶パネル１に対
して光が入射する側に設けられた対向基板２０の配向方向に対応するように配置されてい
る。このように対応させることで、コントラストを向上させることができる。
【００５９】
＜第２実施形態＞
本発明の液晶装置に係る第２実施形態を、図６及び図７を参照して説明する。第２実施
形態では、位相差板の回動機構が異なる以外は、第１実施形態と同様である。よって、第
２実施形態について、第１実施形態と重複する説明を省略する。図６は、図３と同趣旨の
、液晶装置の構成と入射光の進路とを示す断面図である。図７は、液晶装置における回動
機構の構造を示す斜視図である。
【００６０】
図６において、第１位相差板２０１は、ネジ２２２の長さを調整することにより、回転
させられる。ネジ２２２は、支持台２２３に固定されているので、ネジ２２１の長さを調
整することにより、第１位相差板２０１及び第２位相差板２０２を、相互間における位置
関係を維持したまま、回転させることができる。即ち、本実施形態では、ネジ２２１及び
支持台２２３から、本発明に係る「第１回動手段」の一例が構成されており、ネジ２２２
から、本発明に係る「第２回動手段」の一例が構成されている。尚、図７に示したように
、第１位相差板２０１及び第２位相差板２０２を回転させるためのネジは、片側にしか設
けられていないが、両側に設けられていてもよい。
【００６１】
以上のように、第１位相差板２０１及び第２位相差板２０２、並びに回動機構を備える
ことにより、高コントラスト且つ良好な輝度ムラを実現することができる。
【００６２】
＜第３実施形態＞
本発明の液晶装置に係る第３実施形態を、図８を参照して説明する。第３実施形態では
、２枚の位相差板が積層されている以外は、第１実施形態と同様である。よって、第３実
施形態について、第１実施形態と重複する説明を省略する。図８は、図３と同趣旨の、液
晶装置の構成と入射光の進路とを示す断面図である。
【００６３】
図８において、第１位相差板２０１及び第２位相差板２０２は、支持基板４００上に、
夫々が相互になす角が所定の角度になるように積層されている。ここに、支持基板４００
は、専用の支持基板であってもよいし、防塵ガラス、カバーガラス、デフォーカスガラス
、放熱ガラスなどの機能を兼ねてもよい。支持基板４００は、シャフト２３１によってベ
アリング２３２を介し、液晶装置本体に取り付けられており、角度調整のための回動機構
を有している。即ち、本実施形態では、シャフト２３１、ベアリング２３２及び固定ネジ
２３３から、本発明に係る「第１回動手段」の一例が構成されている。
【００６４】
以上のように、高コントラスト且つ良好な輝度ムラを実現しつつ、省スペース化が可能
である。
【００６５】
＜第４実施形態＞
本発明の液晶装置に係る第４実施形態を、図９を参照して説明する。第４実施形態では
、位相差板の構成が異なる以外は、第１実施形態と同様である。よって、第４実施形態に
ついて、第１実施形態と重複する説明を省略する。図９は、図３と同趣旨の、液晶装置の
構成と入射光の進路とを示す断面図である。
【００６６】
図９に示すように、本実施形態に係る液晶装置では、第１位相差板２０１及び第２位相
差板２０２に加えて、第３位相差板２０３が設けられている。第３位相差板２０３は、シ
ャフト２４１によってベアリング２４２を介して液晶装置本体に取り付けられており、角
度調整のための回動機構を有している。このため、例えば、製造過程において、液晶層５
０の出射側にカバー等が取り付けられ、第１位相差板２０１及び第２位相差板２０２の調
整が困難になってしまった場合等であっても、第３位相差板２０３による調整が行える。
従って、効果的な補償を行うことが可能となり、コントラスト低下の防止、及び視野角の
拡大が行える。
【００６７】
＜第５実施形態＞
本発明の液晶装置に係る第５実施形態を、図１０を参照して説明する。第５実施形態で
は、液晶パネル１が防塵ガラスを有している以外は、第１実施形態と同様である。よって
、第５実施形態について、第１実施形態と重複する説明を省略する。図１０は、図３と同
趣旨の、液晶装置の構成と入射光の進路とを示す断面図である。
【００６８】
図１０に示すように、液晶パネル１の入射側に第１防塵ガラス１５０ａが設けられてお
り、液晶パネル１の出射側に第２防塵ガラス１５０ｂが設けられている。第１及び第２防
塵ガラス１５０ａ，１５０ｂを設けることにより、液晶パネル１の内部に埃等が混入し、
故障の原因となることを防止することができる。
【００６９】
＜第６実施形態＞
本発明の液晶装置に係る第６実施形態を、図１１を参照して説明する。第６実施形態で
は、液晶装置がマイクロレンズアレイを備えている以外は、第１実施形態と同様である。
よって、第６実施形態について、第１実施形態と重複する説明を省略する。図１１は、図
３と同趣旨の、液晶装置の構成と入射光の進路とを示す断面図である。
【００７０】
図１１に示すように、入射側の偏光板３００ａと液晶パネル１との間に、実質的な開口
効率の向上、即ち光の利用効率の向上及び明るさの向上や、色純度の向上のために、マイ
クロレンズアレイ５００が設けられている。また、マイクロレンズアレイ５００と液晶パ
ネル１との間には、第４位相差板２０４が設けられている。
【００７１】
マイクロレンズアレイ５００では、備えられたマイクロレンズにより入射した光が集光
されるため、光は曲げられる。曲げられた光は、液晶層５０に対し垂直に入射しなくなる
ため、液晶層５０に入射する際に、位相のずれが発生しやすくなる。そこで、第４位相差
板２０４による補償を行い、液晶層５０に対し、光が垂直に入射するようにする。更に、
液晶層５０の出射側に設けられている第１位相差板２０１及び第２位相差板２０２により
、液晶層５０において発生した位相差を補償する。これにより、出射側の偏光板３００ｂ
に補償された光を入射させることができるため、コントラストの低下が防止でき、視野角
も拡大される。
【００７２】
＜プロジェクタ＞
次に、図９を参照しながら、上述した液晶装置をプロジェクタに適用した場合を説明す
る。上述した液晶装置は、プロジェクタのライトバルブとして用いられている。図９は、
プロジェクタの構成例を示す平面図である。図９に示すように、プロジェクタ１１００内
部には、ハロゲンランプ等の白色光源からなるランプユニット１１０２が設けられている
。このランプユニット１１０２から射出された投射光は、ライトガイド１１０４内に配置
された４枚のミラー１１０６および２枚のダイクロイックミラー１１０８によってＲＧＢ
の３原色に分離され、各原色に対応するライトバルブとしての液晶パネル１１１０Ｒ、１
１１０Ｂおよび１１１０Ｇに入射される。
【００７３】
液晶パネル１１１０Ｒ、１１１０Ｂおよび１１１０Ｇの構成は、上述した液晶装置と同
等の構成を有しており、画像信号処理回路から供給されるＲ、Ｇ、Ｂの原色信号でそれぞ
れ駆動されるものである。そして、これらの液晶パネルによって変調された光は、ダイク
ロイックプリズム１１１２に３方向から入射される。このダイクロイックプリズム１１１
２においては、ＲおよびＢの光が９０度に屈折する一方、Ｇの光が直進する。したがって
、各色の画像が合成される結果、投射レンズ１１１４を介して、スクリーン等にカラー画
像が投写されることとなる。
【００７４】
ここで、各液晶パネル１１１０Ｒ、１１１０Ｂおよび１１１０Ｇによる表示像について
着目すると、液晶パネル１１１０Ｇによる表示像は、液晶パネル１１１０Ｒ、１１１０Ｂ
による表示像に対して左右反転することが必要となる。
【００７５】
なお、液晶パネル１１１０Ｒ、１１１０Ｂおよび１１１０Ｇには、ダイクロイックミラ
ー１１０８によって、Ｒ、Ｇ、Ｂの各原色に対応する光が入射するので、カラーフィルタ
を設ける必要はない。このようなプロジェクタ１１００によれば、液晶パネル１１１０Ｒ
、１１１０Ｂおよび１１１０Ｇを備えているため、高品位の画像を表示できる。
【００７６】
尚、本発明は、上述した実施形態に限られるものではなく、請求の範囲及び明細書全体
から読み取れる発明の要旨、或いは思想に反しない範囲で適宜変更可能であり、そのよう
な変更を伴う液晶装置及びその調整方法、並びにこれを備えたプロジェクタもまた、本発
明の技術的範囲に含まれるものである。
【図面の簡単な説明】
【００７７】
【図１】第１実施形態に係る液晶パネルの全体構成を示す平面図である。
【図２】図１のＨ−Ｈ´線断面図である。
【図３】第１実施形態に係る液晶装置の構成と入射光の進路とを示す断面図である。
【図４】位相差板の遅相軸を示す斜視図である。
【図５】第１及び第２位相差板を連動して回転させた場合における、液晶装置の黒の輝度ムラの測定例である。
【図６】第２実施形態に係る液晶装置の構成と入射光の進路とを示す断面図である。
【図７】第２実施形態に係る液晶装置における回動機構の構造を示す斜視図である。
【図８】第３実施形態に係る液晶装置の構成と入射光の進路とを示す断面図である。
【図９】第４実施形態に係る液晶装置の構成と入射光の進路とを示す断面図である。
【図１０】第５実施形態に係る液晶装置の構成と入射光の進路とを示す断面図である。
【図１１】第６実施形態に係る液晶装置の構成と入射光の進路とを示す断面図である。
【図１２】液晶装置を適用した電子機器の一例たるプロジェクタの構成を示す平面図である。
【符号の説明】
【００７８】
１…液晶装置、９ａ…画素電極、１０…ＴＦＴアレイ基板、１０ａ…画像表示領域、２０
…対向基板、２１…対向電極、２３…遮光膜、５０…液晶層、５２…シール材、５３…額
縁遮光膜、９０…引回配線、１０１…データ線駆動回路、１０２…外部回路接続端子、１
０４…走査線駆動回路、１０６…上下導通端子、１０７…上下導通材
【図１】
2008139386.tif 000003
【図２】
2008139386.tif 000004
【図３】
2008139386.tif 000005
【図４】
2008139386.tif 000006
【図５】
2008139386.tif 000007
【図６】
2008139386.tif 000008
【図７】
2008139386.tif 000009
【図８】
2008139386.tif 000010
【図９】
2008139386.tif 000011
【図１０】
2008139386.tif 000012
【図１１】
2008139386.tif 000013
【図１２】
2008139386.tif 000014